(57)【要約】      （修正有）【課題】天候状態に応じて通信機器を制御することで、悪天候に起因する消費電力の増大を抑制する通信機器、方法、及びプログラムを提供する。【解決手段】通信機器１００は、基地局との無線通信を行う通信部１２０と、無線通信を行わない省電力状態と無線通信が可能な通信状態との間で通信部の状態を遷移させる制御部１３０とを備える。制御部は、通信機器の周辺の天候状態に関する天候関連情報を取得し、天候関連情報に基づいて、省電力状態から通信状態への遷移タイミングを制御する。【選択図】図２
2020088622.tif 000002
【特許請求の範囲】
【請求項１】
通信機器であって、
基地局との無線通信を行う通信部と、
前記無線通信を行わない省電力状態と前記無線通信が可能な通信状態との間で前記通信部の状態を遷移させる制御部と、を備え、
前記制御部は、
当該通信機器の周辺の天候状態に関する天候関連情報を取得し、
前記天候関連情報に基づいて、前記省電力状態から前記通信状態への遷移タイミングを制御する
通信機器。
【請求項２】
前記制御部は、
前記天候関連情報に基づいて、当該通信機器の周辺の天候状態が悪い悪天候時間を特定し、
前記特定された悪天候時間おいて前記通信部を前記省電力状態から前記通信状態へ遷移させないように、前記遷移タイミングを制御する
請求項１に記載の通信機器。
【請求項３】
前記制御部は、前記通信部が前記省電力状態にあるときに、前記無線通信を開始する必要が生じたタイミングが前記悪天候時間と重複する場合、前記無線通信の開始を保留し、前記悪天候時間が経過した後に前記通信部を前記通信状態へ遷移させる
請求項２に記載の通信機器。
【請求項４】
前記制御部は、前記通信部が前記通信状態にあるときに、前記通信部を介して外部から前記天候関連情報を取得し、
前記天候関連情報は、当該通信機器の周辺の将来の天候状態に関する情報である
請求項１乃至３のいずれか１項に記載の通信機器。
【請求項５】
前記制御部は、
前記遷移タイミングが前記悪天候時間と重複しないように、前記通信部に前記省電力状態を継続させる省電力時間を決定し、
前記通信部が前記通信状態にあるときに、前記決定された省電力時間を示す情報を通信ネットワークに送信するように前記通信部を制御する
請求項４に記載の通信機器。
【請求項６】
ＧＮＳＳ受信機と、
当該通信機器の位置を示す第１情報を予め記憶する記憶部と、をさらに備え、
前記制御部は、前記通信部が前記省電力状態にあるときに、前記ＧＮＳＳ受信機を用いて得られた第２位置情報と前記第１位置情報との間の差を示す誤差情報を前記天候関連情報として取得する
請求項１乃至３のいずれか１項に記載の通信機器。
【請求項７】
降雨、降雪、及び日射の少なくとも１つを検出するセンサをさらに備え、
前記制御部は、前記通信部が前記省電力状態にあるときに、前記センサの出力を前記天候関連情報として取得する
請求項１乃至３のいずれか１項に記載の通信機器。
【請求項８】
基地局との無線通信を行う通信部を有する通信機器を制御するための方法であって、
当該通信機器の周辺の天候状態に関する天候関連情報を取得するステップと、
前記天候関連情報に基づいて、前記無線通信を行わない省電力状態から、前記無線通信が可能な通信状態への遷移タイミングを制御するステップと、を備える
方法。
【請求項９】
基地局との無線通信を行う通信部を有する通信機器に、
当該通信機器の周辺の天候状態に関する天候関連情報を取得するステップと、
前記天候関連情報に基づいて、前記無線通信を行わない省電力状態から、前記無線通信が可能な通信状態への遷移タイミングを制御するステップと、を実行させる
プログラム。
【発明の詳細な説明】
【技術分野】
【０００１】
本発明は、通信機器、方法、及びプログラムに関する。
【背景技術】
【０００２】
特許文献１には、降雨センサの出力、ＧＰＳ誤差、又は気象庁の地域気象観測システムの降雨情報に基づいて、電波の降雨減衰量を推定し、推定された降雨減衰量に応じて送信電力を決定する基地局が記載されている。
【０００３】
この基地局は、決定された送信電力を通信機器（端末機器）に対して報知する。その結果、基地局及び通信機器は、降雨現象が発生している間は送信電力を増大させ、降雨現象がなくなったら送信電力を元に戻す。
【先行技術文献】
【特許文献】
【０００４】
【特許文献１】特開平１０−６５５９６号公報
【発明の概要】
【発明が解決しようとする課題】
【０００５】
ところで、近年では、ＩｏＴ（Ｉｎｔｅｒｎｅｔ  ｏｆ  Ｔｈｉｎｇｓ）技術の発展に伴い、遠距離の無線通信を低消費電力で実現するＬＰＷＡ（Ｌｏｗ  Ｐｏｗｅｒ  Ｗｉｄｅ  Ａｒｅａ）通信方式が注目されている。
【０００６】
ＬＰＷＡ通信方式を用いる通信機器は、基本的には無線通信を行わない省電力状態にあり、基地局との無線通信を行うときにだけ省電力状態から通信状態に遷移して無線通信を行う。省電力状態では、無線通信を行う通信部への給電を停止できるため、通信機器のバッテリ駆動時間を延ばすことができる。
【０００７】
しかしながら、省電力状態から通信状態に遷移した際に通信機器の周辺の天候状態が悪い場合、特許文献１に記載のように通信機器の送信電力を増大させる必要がありうる。このため、通信機器の送信電力の増大に応じて通信機器の消費電力も増大するという問題がある。
【０００８】
そこで、本発明は、悪天候に起因する消費電力の増大を抑制可能な通信機器、方法、及びプログラムを提供することを目的とする。
【課題を解決するための手段】
【０００９】
第１の態様に係る通信機器は、基地局との無線通信を行う通信部と、前記無線通信を行わない省電力状態と前記無線通信が可能な通信状態との間で前記通信部の状態を遷移させる制御部とを備える。前記制御部は、当該通信機器の周辺の天候状態に関する天候関連情報を取得し、前記天候関連情報に基づいて、前記省電力状態から前記通信状態への遷移タイミングを制御する。
【００１０】
第２の態様に係る方法は、基地局との無線通信を行う通信部を有する通信機器を制御するための方法である。前記方法は、当該通信機器の周辺の天候状態に関する天候関連情報を取得するステップと、前記天候関連情報に基づいて、前記無線通信を行わない省電力状態から、前記無線通信が可能な通信状態への遷移タイミングを制御するステップとを備える。
【００１１】
第３の態様に係るプログラムは、基地局との無線通信を行う通信部を有する通信機器に、当該通信機器の周辺の天候状態に関する天候関連情報を取得するステップと、前記天候関連情報に基づいて、前記無線通信を行わない省電力状態から、前記無線通信が可能な通信状態への遷移タイミングを制御するステップとを実行させる。
【発明の効果】
【００１２】
本発明の一態様によれば、悪天候に起因する消費電力の増大を抑制可能な通信機器、方法、及びプログラムを提供できる。
【図面の簡単な説明】
【００１３】
【図１】一実施形態に係る通信システムの構成を示す図である。
【図２】一実施形態に係る通信機器の構成を示す図である。
【図３】一実施形態に係る省電力状態を説明するための図である。
【図４】一実施形態に係る通信機器の動作を示す図である。
【図５】一実施形態に係る通信機器の動作フローの一例を示す図である。
【図６】一実施形態に係る通信機器の動作フローの他の例を示す図である。
【発明を実施するための形態】
【００１４】
図面を参照して実施形態について説明する。図面の記載において、同一又は類似の部分には同一又は類似の符号を付している。
【００１５】
（システム構成例）
図１は、一実施形態に係る通信システム１の構成を示す図である。
【００１６】
図１に示すように、通信システム１は、通信機器１００と、通信ネットワーク２００と、サーバ３００とを有する。
【００１７】
通信機器１００は、例えば、各種センサを有するセンサ機器であって、且つ通信ネットワーク２００を介して通信を行う通信機能を有する。例えば、通信機器１００は、各種センサにより得られる測定情報を、通信ネットワーク２００を介してサーバ３００に送信する。
【００１８】
通信機器１００は、ＬＰＷＡ（Ｌｏｗ  Ｐｏｗｅｒ  Ｗｉｄｅ  Ａｒｅａ）方式の無線通信を通信ネットワーク２００と行う。ＬＰＷＡ方式は、消費電力を抑えつつ遠距離の無線通信を実現する方式である。
【００１９】
ＬＰＷＡ方式は、例えば、セルラＬＰＷＡ、ＳＩＧＦＯＸ、又はＬｏＲａＷＡＮである。セルラＬＰＷＡは、３ＧＰＰ（３ｒｄ  Ｇｅｎｅｒａｔｉｏｎ  Ｐａｒｔｎｅｒｓｈｉｐ  Ｐｒｏｊｅｃｔ）規格において規定されたｅＭＴＣ（ｅｎｈａｎｃｅｄ  Ｍａｃｈｉｎｅ  Ｔｙｐｅ  Ｃｏｍｍｕｎｉｃａｔｉｏｎｓ）又はＮＢ−ＩｏＴ（Ｎａｒｒｏｗ  Ｂａｎｄ−Ｉｎｔｅｒｎｅｔ  ｏｆ  Ｔｈｉｎｇｓ）であってもよい。以下において、ＬＰＷＡ方式としてセルラＬＰＷＡを用いる場合を主として想定する。
【００２０】
通信ネットワーク２００は、通信事業者により提供されるネットワークである。通信ネットワーク２００は、通信機器１００との無線通信を行う基地局２１０と、通信機器１００を管理する管理装置２２０とを有する。図１において、通信ネットワーク２００に含まれる基地局２１０を１つのみ例示しているが、通信ネットワーク２００には複数の基地局２１０が含まれるものとする。
【００２１】
基地局２１０は、３ＧＰＰ規格において規定されたＬＴＥ（Ｌｏｎｇ  Ｔｅｒｍ  Ｅｖｏｌｕｔｉｏｎ）の基地局であるｅＮＢ（ｅｖｏｌｖｅｄ  Ｎｏｄｅ  Ｂ）であってもよい。管理装置２２０は、３ＧＰＰ規格において規定されたＭＭＥ（Ｍｏｂｉｌｉｔｙ  Ｍａｎａｇｅｍｅｎｔ  Ｅｎｔｉｔｙ）であってもよい。
【００２２】
管理装置２２０は、通信機器１００がどのトラッキングエリアに在圏するかを管理する。管理装置２２０は、通信機器１００宛てのデータが発生した場合、通信機器１００が在圏するトラッキングエリアを管理する基地局２１０を介して、通信機器１００を呼び出すためのページングメッセージを通信機器１００に送信する。
【００２３】
通信機器１００は、例えば、屋外又は屋内に設置されるセンサ機器である。通信機器１００が屋外に設置される場合、通信機器１００は、自機器に設けられるバッテリにより駆動される。通信機器１００が屋内に設置される場合、通信機器１００は、自機器に設けられるバッテリから供給される電力で駆動されてもよいし、商用電源（ＡＣ電源）から供給される電力で駆動されてもよい。
【００２４】
ＬＰＷＡ通信方式を用いる通信機器１００は、基本的には無線通信を行わない省電力状態にあり、基地局２１０との無線通信を行うときにだけ省電力状態から通信状態に遷移して無線通信を行う。省電力状態では、無線通信を行う通信部１２０（図２を参照）への給電を停止できるため、通信機器１００のバッテリ駆動時間を延ばすことができる。
【００２５】
サーバ３００は、通信ネットワーク２００に接続される装置である。サーバ３００は、インターネットを介して通信ネットワーク２００に接続されてもよい。サーバ３００は、通信ネットワーク２００を介して通信機器１００との通信を行うことにより、通信機器１００から各種情報を収集及び蓄積する。
【００２６】
通信機器１００は、省電力状態から通信状態に遷移し、通信状態において、各種情報をサーバ３００に送信（アップロード）する。ここで、省電力状態から通信状態に遷移した際に、通信機器１００の周辺の天候状態が悪い場合がある。天候状態が悪いとは、無線信号（電波）の減衰が大きいことをいい、例えば降雨現象又は降雪現象が発生していることをいう。
【００２７】
このため、省電力状態から通信状態に遷移した際に、通信機器１００の周辺の天候状態が悪い場合、通信機器１００の送信電力を増大させる等の措置が必要になるため、通信機器１００の消費電力が増大する。
【００２８】
一実施形態において、通信機器１００は、通信機器１００の周辺の天候状態に関する天候関連情報を取得し、取得された天候関連情報に基づいて、省電力状態から通信状態への遷移タイミングを制御する。
【００２９】
これにより、通信機器１００は、通信機器１００の周辺の天候状態が悪いときに省電力状態から通信状態へ遷移することを回避できるため、悪天候に起因する通信機器１００の消費電力の増大を抑制できる。
【００３０】
（通信機器の構成例）
図２は、一実施形態に係る通信機器１００の構成を示す図である。
【００３１】
図２に示すように、通信機器１００は、通信部１２０と、制御部１３０と、記憶部１４０と、電源管理部１５０と、ＧＮＳＳ受信機１６０と、各種センサ１７０とを有する。
【００３２】
通信部１２０は、基地局２１０との無線通信を行うとともに、通信ネットワーク２００を介してサーバ３００との通信を行う。通信部１２０は、アンテナ１１０と、ＬＰＷＡ通信部１２１とを含む。
【００３３】
アンテナ１１０は、無線信号の送受信に用いられる。ＬＰＷＡ通信部１２１は、通信ネットワーク２００に含まれる基地局２１０とのＬＰＷＡ通信を行う。
【００３４】
ＬＰＷＡ通信部１２１は、アンテナ１１０が基地局２１０から受信した無線信号に対して増幅処理及びフィルタ処理等を行い、無線信号をベースバンド信号に変換して制御部１３０に出力する受信機１２１ａを含む。また、ＬＰＷＡ通信部１２１は、制御部１３０から入力されたベースバンド信号を無線信号に変換し、増幅処理等を行ってアンテナ１１０から送信する送信機１２１ｂを含む。
【００３５】
制御部１３０は、通信機器１００における各種の処理及び制御を行う。例えば、制御部１３０は、位置情報及び／又は測定情報を取得するようにＧＮＳＳ受信機１６０及び／又は各種センサ１７０を制御し、取得された位置情報及び／又は測定情報をサーバ３００に送信（アップロード）するように通信部１２０を制御してもよい。制御部１３０は、少なくとも１つのプロセッサを含む。プロセッサは、ベースバンドプロセッサと、ＣＰＵ（Ｃｅｎｔｒａｌ  Ｐｒｏｃｅｓｓｉｎｇ  Ｕｎｉｔ）とを含んでもよい。ベースバンドプロセッサは、ベースバンド信号の変調・復調及び符号化・復号等を行う。ＣＰＵは、記憶部１４０に記憶されたプログラムを実行して各種の処理を行う。
【００３６】
また、制御部１３０は、無線通信を行わない省電力状態と無線通信が可能な通信状態との間で通信部１２０の状態を遷移させる。このような動作の詳細については後述する。
【００３７】
記憶部１４０は、揮発性メモリ及び不揮発性メモリを含む。記憶部１４０は、制御部１３０により実行されるプログラム、及び制御部１３０による処理に用いられる情報を記憶する。記憶部１４０には、通信機器１００の機能及び動作を設定する設定情報が記憶されていてもよい。
【００３８】
例えば、設定情報は、各種センサ１７０により得られる測定情報の送信条件を設定するための情報を含んでもよい。この情報は、各種センサ１７０により得られる測定情報をサーバ３００にアップロードすべき時刻又は周期を設定する情報であってもよいし、特定の測定情報をサーバ３００にアップロードすべき条件としての閾値を設定する情報であってもよい。制御部１３０は、設定情報に応じて定まるタイミングにおいて、各種センサ１７０により得られる測定情報を、通信部１２０を介してアップロードする。
【００３９】
また、記憶部１４０は、通信機器１００がサーバ３００にアクセスするために、サーバ３００のアドレス（例えば、ＩＰアドレス）を記憶している。
【００４０】
電源管理部１５０は、バッテリ及びその周辺回路を含む。電源管理部１５０は、通信機器１００の駆動電力を供給する。バッテリは、通信機器１００に着脱可能な使い捨てのタイプであってもよいし、充電が可能な蓄電池（二次電池）であってもよい。なお、通信機器１００が外部からの給電を受ける場合、電源管理部１５０は、外部から供給される電力を変換する回路により構成されてもよい。
【００４１】
ＧＮＳＳ受信機１６０は、通信機器１００の位置を示す位置情報を取得する。ＧＮＳＳ受信機は、ＧＰＳ（Ｇｌｏｂａｌ  Ｐｏｓｉｔｉｏｎｉｎｇ  Ｓｙｓｔｅｍ）受信機、ＧＬＯＮＡＳＳ（Ｇｌｏｂａｌ  Ｎａｖｉｇａｔｉｏｎ  Ｓａｔｅｌｌｉｔｅ  Ｓｙｓｔｅｍ）受信機、ＩＲＮＳＳ（Ｉｎｄｉａｎ  Ｒｅｇｉｏｎａｌ  Ｎａｖｉｇａｔｉｏｎａｌ  Ｓａｔｅｌｌｉｔｅ  Ｓｙｓｔｅｍ）受信機、ＣＯＭＰＡＳＳ受信機、Ｇａｌｉｌｅｏ受信機、ＱＺＳＳ（Ｑｕａｓｉ−Ｚｅｎｉｔｈ  Ｓａｔｅｌｌｉｔｅｓ  Ｓｙｓｔｅｍ）受信機等を含んでもよい。ＧＮＳＳ受信機１６０は、制御部１３０の制御下で位置情報（緯度・経度情報）を取得し、取得された位置情報を制御部１３０に出力する。
【００４２】
各種センサ１７０は、温度センサ、湿度センサ、気圧センサ、磁場センサ（地磁気センサ）、照度センサ、加速度センサ、近接センサのうち少なくとも１つを含む。また、各種センサ１７０は、降雨センサ及び降雪センサのうち少なくとも１つを含んでもよい。降雨センサ及び降雪センサは天候に関連するセンサであり、降雨センサ及び降雪センサを天候関連センサと呼ぶ。各種センサ１７０は、制御部１３０の制御下で測定を行い、測定により得られた測定情報を制御部１３０に出力する。
【００４３】
（省電力状態の一例）
図３は、一実施形態に係る省電力状態を説明するための図である。一実施形態において、省電力状態は、３ＧＰＰ規格において規定されたＰＳＭ（Ｐｏｗｅｒ  Ｓａｖｉｎｇ  Ｍｏｄｅ）状態を含む。
【００４４】
図３に示すように、ステップＳ１１において、ＲＲＣ（Ｒａｄｉｏ  Ｒｅｓｏｕｒｃｅ  Ｃｏｎｔｒｏｌ）接続状態にある通信機器１００は、アタッチ要求メッセージ又はトラッキングエリア更新（ＴＡＵ：Ｔｒａｃｋｉｎｇ  Ａｒｅａ  Ｕｐｄａｔｅ）要求メッセージを管理装置３００に送信する。ＲＲＣ接続状態とは、通信機器１００が無線通信を行う状態をいう。ＲＲＣ接続状態は、通信状態の一例である。
【００４５】
アタッチ要求メッセージは、通信ネットワーク２００への通信機器１００のアタッチ（接続）を要求するメッセージである。ＴＡＵ要求メッセージは、通信機器１００が在圏するトラッキングエリアの更新を管理装置３００に要求するメッセージである。
【００４６】
ＰＳＭ状態への遷移を通信機器１００が要求する場合、通信機器１００は、アタッチ要求メッセージ又はＴＡＵ要求メッセージに、第１タイマの要求値及び第２タイマの要求値を含める。
【００４７】
第１タイマは、通信機器１００がＲＲＣ接続状態からＲＲＣアイドル状態に遷移した後、ＰＳＭ状態に遷移するまでの時間を定めるタイマである。ＲＲＣアイドル状態とは、通信機器１００が無線通信を行わずに、通信機器１００の呼び出し（ページングメッセージ）を監視する状態をいう。ＲＲＣアイドル状態は、省電力状態の一例である。
【００４８】
ＲＲＣアイドル状態においては、通信機器１００の受信機１２１ａを間欠的にオン状態にすればよく、通信機器１００の送信機１２１ｂへの給電を停止できるため、通信機器１００の消費電力が削減される。
【００４９】
第２タイマは、通信機器１００がＲＲＣアイドル状態からＰＳＭ状態に遷移した後、次にＴＡＵ要求メッセージを送信するまでの時間を定めるタイマである。ＰＳＭ状態とは、通信機器１００が無線通信を行わず、且つページングメッセージの監視も行わない状態をいう。ＰＳＭ状態は、省電力状態の一例である。
【００５０】
ＰＳＭ状態においては、通信機器１００の送信機１２１ｂへの給電を停止できるだけでなく、通信機器１００の受信機１２１ａへの給電も停止できるため、ＲＲＣアイドル状態に比べて通信機器１００の消費電力がより一層削減される。無線通信の観点では、ＰＳＭ状態は、通信機器１００の電源が投入されていない状態（すなわち、電源オフ状態）に等しい。
【００５１】
但し、省電力状態（ＲＲＣアイドル状態、ＰＳＭ状態）において、通信機器１００から通信ネットワーク２００に対して送信すべきデータが発生したような場合、通信機器１００は、無線通信を開始するためのプロシージャであるランダムアクセスプロシージャを行うことにより、省電力状態から通信状態（ＲＲＣ接続状態）に遷移可能である。
【００５２】
ステップＳ１２において、管理装置３００は、通信機器１００からのアタッチ要求メッセージに対応するアタッチ受理メッセージ、又はＴＡＵ要求メッセージに対応するＴＡＵ受理メッセージを通信機器１００に送信する。
【００５３】
アタッチ受理メッセージ又はＴＡＵ受理メッセージは、第１タイマの設定値及び第２タイマの設定値を含む。具体的には、管理装置３００は、通信機器１００からの第１タイマの要求値に応じて第１タイマの設定値を決定し、通信機器１００からの第２タイマの要求値に応じて第２タイマの設定値を決定し、決定された第１タイマの設定値及び第２タイマの設定値をアタッチ受理メッセージ又はＴＡＵ受理メッセージに含める。
【００５４】
ステップＳ１３において、通信機器１００は、ＲＲＣ接続状態からＲＲＣアイドル状態に遷移する。通信機器１００は、ＲＲＣアイドル状態に遷移すると、管理装置３００から設定された第１タイマを開始させる。
【００５５】
ステップＳ１４において、通信機器１００は、第１タイマの満了に応じて、ＲＲＣアイドル状態からＰＳＭ状態に遷移する。通信機器１００は、ＰＳＭ状態に遷移すると、管理装置３００から設定された第２タイマを開始させる。
【００５６】
ステップＳ１５において、通信機器１００は、第２タイマの満了に応じて、ＰＳＭ状態からＲＲＣ接続状態に遷移する。
【００５７】
ステップＳ１６において、通信機器１００は、ＲＲＣ接続状態に遷移すると、ＴＡＵ要求メッセージを管理装置３００に送信する。このＴＡＵ要求メッセージは、通信機器１００がＰＳＭ状態から通信状態に復旧したことを管理装置３００に通知する役割を有する。
【００５８】
（通信機器の動作の一例）
図４は、一実施形態に係る通信機器１００の動作を示す図である。
【００５９】
図４に示すように、時刻ｔ１において、制御部１３０は、通信部１２０の状態を通信状態（例えば、ＲＲＣ接続状態）から省電力状態（例えば、ＲＲＣアイドル状態又はＰＳＭ状態）に遷移させる。
【００６０】
時刻ｔ２から時刻ｔ３までの時間は、通信機器１００の周辺の天候状態が悪い悪天候時間である。例えば、時刻ｔ２から時刻ｔ３までの時間において、降雨現象又は降雪現象が発生しているものとする。
【００６１】
悪天候時間に属する時刻ｔ３において、制御部１３０は、無線通信を開始する必要が生じたと判定する。例えば、制御部１３０は、記憶部１４０に記憶された設定情報に基づいて、測定情報をサーバ３００にアップロードすべき時刻になったこと、又は測定情報をサーバ３００にアップロードすべき閾値が満たされたことを検知する。
【００６２】
このような状況下において、制御部１３０は、天候関連情報に基づいて悪天候時間を特定し、特定された悪天候時間おいて通信部１２０を省電力状態から通信状態へ遷移しないように、省電力状態から通信状態への遷移タイミングを制御する。
【００６３】
具体的には、制御部１３０は、通信部１２０が省電力状態にあるときに、無線通信を開始する必要が生じたタイミング（すなわち、時刻ｔ３）が悪天候時間と重複する場合、無線通信の開始を保留し、悪天候時間が経過した後（すなわち、時刻ｔ５）において通信部１２０を通信状態へ遷移させる。これにより、悪天候に起因する通信機器１００の消費電力の増大を抑制できる。
【００６４】
ここで、天候関連情報に基づく悪天候時間の特定方法としては、以下の第１乃至第３の方法のうちいずれか１つ又は２以上の方法の組み合わせを用いることができる。
【００６５】
第１の方法は、サーバ３００から取得される天候予測情報を天候関連情報として用いて、悪天候時間を特定する方法である。天候予測情報は、通信機器１００の位置を含むエリアにおける将来の天候状態を時間帯ごとに予測した情報である。サーバ３００は、例えば天気予報サービスを利用して天候予測情報を通信機器１００に提供する。
【００６６】
第１の方法において、制御部１３０は、通信部１２０が通信状態にあるときに、通信部１２０を介してサーバ３００から天候予測情報を取得し、取得された天候予測情報を記憶部１４０に記憶させる。
【００６７】
そして、制御部１３０は、基地局２１０との無線通信を開始する必要が生じた際に、記憶部１４０に記憶された天候予測情報から、現在の時刻が属する時間帯に対応する天候状態を抽出し、現在の時刻が属する時間帯の天候状態が悪天候状態であるか否かを確認する。
【００６８】
第２の方法は、悪天候時はＧＮＳＳ誤差が生じるという性質を利用し、ＧＮＳＳ誤差を天候関連情報として用いて、悪天候時間を特定する方法である。
【００６９】
具体的には、記憶部１４０は、通信機器１００の位置を示す第１情報を予め記憶する。例えば、制御部１３０は、悪天候ではないときにＧＮＳＳ受信機１６０により取得された位置情報を、正解データとして記憶部１４０に予め記憶させておく。
【００７０】
そして、制御部１３０は、通信部１２０が省電力状態にあるときに、ＧＮＳＳ受信機１６０を用いて得られた現在の第２位置情報と、記憶部１４０に記憶された第１位置情報との間の差を示す誤差情報（ＧＮＳＳ誤差）を天候関連情報として取得する。制御部１３０は、例えばＧＮＳＳ誤差が閾値以上である場合、通信機器１００の周辺が悪天候であると判定する。
【００７１】
第３の方法は、通信機器１００が屋外に設置されている場合、天候関連センサ（降雨センサ、降雪センサ）の出力を天候関連情報として用いて、悪天候時間を特定する方法である。制御部１３０は、通信部１２０が省電力状態にあるときに、天候関連センサの出力を天候関連情報として取得し、通信機器１００の周辺が悪天候であるか否かを判定する。
【００７２】
（通信機器の動作フローの一例）
図５は、一実施形態に係る通信機器１００の動作フローの一例を示す図である。
【００７３】
図５に示すように、ステップＳ１０１において、制御部１３０は、通信部１２０が通信状態にあるときに、通信部１２０を介してサーバ３００から天候予測情報を取得する。
【００７４】
ステップＳ１０２において、制御部１３０は、サーバ３００から取得された天候予測情報を記憶部１４０に記憶させる。
【００７５】
ステップＳ１０３において、制御部１３０は、通信部１２０の状態を通信状態から省電力状態に遷移させる。
【００７６】
ステップＳ１０４において、制御部１３０は、無線通信を開始する必要が生じたか否かを判定する。
【００７７】
無線通信を開始する必要が生じたと判定された場合（ステップＳ１０４：ＹＥＳ）、ステップＳ１０５において、制御部１３０は、ＧＮＳＳ誤差及び／又は天候関連センサ出力を取得する。
【００７８】
ステップＳ１０６において、制御部１３０は、記憶部１４０に記憶された天候予測情報と、ステップＳ１０５で取得されたＧＮＳＳ誤差及び／又は天候関連センサ出力とに基づいて、現タイミングが悪天候時間と重複するか否かを判定する。例えば、制御部１３０は、現タイミングが悪天候時間であることを天候予測情報が示し、且つ、現タイミングが悪天候時間であることをＧＮＳＳ誤差及び／又は天候関連センサ出力が示す場合、現タイミングが悪天候時間と重複すると判定する。現タイミングが悪天候時間と重複しないと判定された場合（ステップＳ１０６：ＮＯ）、処理がステップＳ１１０に進む。
【００７９】
一方、現タイミングが悪天候時間と重複すると判定された場合（ステップＳ１０６：ＹＥＳ）、ステップＳ１０７において、制御部１３０は、無線通信の開始を保留する。
【００８０】
ステップＳ１０８において、制御部１３０は、ＧＮＳＳ誤差及び／又は天候関連センサ出力を取得する。
【００８１】
ステップＳ１０９において、制御部１３０は、記憶部１４０に記憶された天候予測情報と、ステップＳ１０８で取得されたＧＮＳＳ誤差及び／又は天候関連センサ出力とに基づいて、悪天候時間が経過したか否かを判定する。例えば、制御部１３０は、現タイミングが悪天候時間でないことを天候予測情報が示し、且つ、現タイミングが悪天候時間でないことをＧＮＳＳ誤差及び／又は天候関連センサ出力が示す場合、悪天候時間が経過したと判定する。
【００８２】
悪天候時間が経過していないと判定された場合（ステップＳ１０９：ＮＯ）、処理がステップＳ１０８に戻る。一方、悪天候時間が経過したと判定された場合（ステップＳ１０９：ＹＥＳ）、処理がステップＳ１１０に進む。
【００８３】
ステップＳ１１０において、制御部１３０は、通信部１２０を省電力状態から通信状態に遷移させることにより、基地局２１０との無線通信を開始する。例えば、制御部１３０は、通信状態において、測定情報をサーバ３００に送信するように通信部１２０を制御する。
【００８４】
（通信機器の動作フローの他の例）
上述したように、ＰＳＭ状態にある通信機器１００は、第２タイマが満了した際に、通信状態に遷移してＴＡＵ要求メッセージを管理装置３００に送信する必要がある。
【００８５】
第２タイマの値は通信機器１００から管理装置３００に要求可能であるため、第２タイマの値として適切な値を管理装置３００に要求することにより、第２タイマが満了するタイミング（すなわち、通信状態に遷移するタイミング）が悪天候時間と重複しないようにすることができる。
【００８６】
図６は、一実施形態に係る通信機器１００の動作フローの他の例を示す図である。
【００８７】
図６に示すように、ステップＳ２０１において、制御部１３０は、通信部１２０が通信状態にあるときに、通信部１２０を介してサーバ３００から天候予測情報を取得する。
【００８８】
ステップＳ２０２において、制御部１３０は、サーバ３００から取得された天候予測情報に基づいて、将来の悪天候時間を特定する。
【００８９】
ステップＳ２０３において、制御部１３０は、ステップＳ２０２で特定された悪天候時間に基づいて、省電力状態から通信状態への遷移タイミングが悪天候時間と重複しないように、通信部１２０に省電力状態を継続させる省電力時間の要求値を決定する。具体的には、制御部１３０は、第１タイマの要求値及び第２タイマの要求値を決定する。
【００９０】
ステップＳ２０４において、制御部１３０は、ステップＳ２０３で決定された省電力時間の要求値を含むアタッチ要求メッセージ又はＴＡＵ要求メッセージを、通信部１２０を介してサーバ３００に送信する。
【００９１】
ステップＳ２０５において、制御部１３０は、通信部１２０を介して、サーバ３００から省電力時間の設定値を含むアタッチ受理メッセージ又はＴＡＵ受理メッセージを取得する。
【００９２】
ステップＳ２０６において、制御部１３０は、通信部１２０の状態を通信状態から省電力状態に遷移させる。
【００９３】
ステップＳ２０７において、制御部１３０は、設定された省電力時間が経過したか否か（すなわち、第１タイマ及び第２タイマが満了したか否か）を確認する。
【００９４】
設定された省電力時間が経過した場合（ステップＳ２０７：ＹＥＳ）、ステップＳ２０８において、制御部１３０は、通信部１２０を省電力状態から通信状態に遷移させることにより、基地局２１０との無線通信を開始する。そして、制御部１３０は、通信部１２０を介して、ＴＡＵ要求メッセージを管理装置３００に送信する。
【００９５】
（その他の実施形態）
上述した実施形態において、省電力状態がＰＳＭ状態を含む一例について説明した。しかしながら、ＰＳＭに代えてｅＤＲＸ（ｅｘｔｅｎｄｅｄ  Ｄｉｓｃｏｎｔｉｎｕｅｓ  Ｒｅｃｅｐｔｉｏｎ）を用いる場合、省電力状態は、ｅＤＲＸのスリープ状態を含んでもよい。ｅＤＲＸは、ＲＲＣアイドル状態にある通信機器１００に適用される間欠受信の機能である。ｅＤＲＸが設定された通信機器１００は、ＲＲＣアイドル状態においてページングメッセージの監視を非常に長い周期で行う。ｅＤＲＸのスリープ状態とは、ページングメッセージの監視を行わない状態をいう。通信機器１００は、ｅＤＲＸのスリープ状態において、送信機１２１ｂ及び受信機１２１ａへの給電を停止できる。
【００９６】
また、上述した実施形態において、通信機器１００のバッテリ残量について特に考慮していなかった。しかしながら、通信機器１００のバッテリ残量が閾値未満である場合に限り、上述した実施形態に係る通信機器１００の動作を適用するとしてもよい。
【００９７】
また、上述した実施形態において、通信機器１００が、各種センサを有するセンサ機器である一例について説明した。しかしながら、各通信機器１００は、センサ機器に限定されるものではなく、通信機能を有しており、且つ、ある位置に設置される機器であればどのような機器であってもよい。
【００９８】
通信機器１００が行う各処理をコンピュータに実行させるプログラムが提供されてもよい。プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。また、通信機器１００が行う各処理を実行する機能部（回路）を集積化し、通信機器１００を半導体集積回路（チップセット、ＳｏＣ）として構成してもよい。
【００９９】
以上、図面を参照して実施形態について詳しく説明したが、具体的な構成は上述のものに限られることはなく、要旨を逸脱しない範囲内において様々な設計変更等をすることが可能である。
【符号の説明】
【０１００】
１        ：通信システム
１００    ：通信機器
１１０    ：アンテナ
１２０    ：通信部
１２１    ：ＬＰＷＡ通信部
１３０    ：制御部
１４０    ：記憶部
１５０    ：電源管理部
１６０    ：ＧＮＳＳ受信機
１７０    ：各種センサ
２００    ：通信ネットワーク
２１０    ：基地局
３００    ：サーバ
【図１】
2020088622.tif 000003
【図２】
2020088622.tif 000004
【図３】
2020088622.tif 000005
【図４】
2020088622.tif 000006
【図５】
2020088622.tif 000007
【図６】
2020088622.tif 000008